(57)【要約】【課題】隣り合うファイル同士を連結する機構を備えたファイルを低コストで製造する。【解決手段】ファイル本体２の表面側にポケット３を形成したファイル１において、ファイル本体２の下端部の左右両端寄りに、逆Ｕ字形の切れ込みを入れてフック部５を形成する。また、ファイル本体２の上端部の左右両端寄りに下向き凸状の円弧形状の切れ込みを入れることによりスリット状の係止孔６を形成する。上下に並べた複数のファイル本体２の、下側のファイル本体２の係止孔６に、上側のファイル本体１のフック部５を挿し込むことによって、ファイル１同士を容易に連結することができる。【選択図】図１
2012056200.tif 000002
【特許請求の範囲】
【請求項１】
ファイル本体（２）に物品（Ｐ）を収納するポケット（３）を設け、複数の前記ファイル本体（２）をその吊り下げ方向に互いに連結可能としたファイルにおいて、
前記ファイル本体（２）の下端部に切れ込みを入れて、上向きに延びるフック部（５）を形成し、前記ファイル本体（２）の上端部に切れ込みを入れてスリット状の係止孔（６）を形成し、上下に並べた前記ファイル本体（２、２）の、下側のファイル本体（２）の前記係止孔（６）に、上側のファイル本体（２）の前記フック部（５）を挿し込んで、前記ファイル本体（２）同士を連結することを特徴とするファイル。
【請求項２】
前記係止孔（６）が、前記ファイル本体（２）を吊り下げた際に下向きに凸状の円弧形状をなしていることを特徴とする請求項１に記載のファイル。
【発明の詳細な説明】
【技術分野】
【０００１】
この発明は、ポケットに絵等の物品を収納して、この収納状態のまま教室の壁等に留めて展示する際に用いられるファイルであって、特に、複数のファイルをその吊り下げ方向に連結し得るようにしたものに関する。
【背景技術】
【０００２】
学校の教室等で児童の絵等を壁に展示する際に、下記特許文献１に示すように、ファイル本体にポケットを形成したファイルを用いることがある。このポケットには、絵を描いた画用紙等の物品を収納することができる。前記ファイル本体の四隅には、雌雄嵌合するスナップボタンが設けられている。そして、このスナップボタンの雌雄を互いに留め合うことで、複数のファイルを上下又は左右に自在に連結し得るようにしている。
【先行技術文献】
【特許文献】
【０００３】
【特許文献１】実用新案登録第３０８５０３９号公報
【発明の概要】
【発明が解決しようとする課題】
【０００４】
上記特許文献１に記載のファイルは、ファイル本体の四隅に、このファイル本体とは別部材であるスナップボタンを設けている。このため、スナップボタンの部品コスト及び取り付けのための加工コストを要する。
【０００５】
そこで、この発明は、隣り合うファイル同士を連結する機構を備えたファイルを低コストで製造することを課題とする。
【課題を解決するための手段】
【０００６】
上記課題を解決するため、この発明は、ファイル本体に物品を収納するポケットを設け、複数の前記ファイル本体をその吊り下げ方向に互いに連結可能としたファイルにおいて、前記ファイル本体の下端部に切れ込みを入れて、上向きに延びるフック部を形成し、前記ファイル本体の上端部に切れ込みを入れてスリット状の係止孔を形成し、上下に並べた前記ファイル本体の、下側のファイル本体の前記係止孔に、上側のファイル本体の前記フック部を挿し込んで、前記ファイル本体同士を連結する構成とした。
【０００７】
この構成においては、ファイル同士の連結をなすためのフック部及び係止孔のいずれも、ファイル本体に切れ込みを入れて形成したものである。すなわち、連結機構の形成に際して、ファイル本体とは別部材であるスナップボタン等を必要としない。また、ファイル本体に切れ込みを入れる作業は、自動化が容易で非常に簡便である。このため、部品調達及び加工に伴うコストの抑制を図ることができる。
【０００８】
また前記構成においては、前記係止孔を、前記ファイル本体を吊り下げた際に下向きに凸状の円弧形状をなすように形成するのがより好ましい。
【０００９】
このように下向きに円弧形状とすると、前記係止孔の上側が、前記円弧を下辺縁とする舌片となる。この舌片は、その付け根付近において自在に屈曲し、例えばこの舌片をファイルの裏面側から表面側に押すと、この舌片が前記表面側に突出する。この突出により、舌片下側を周縁の一部とする係止孔が下向きに開口する。この係止孔の開口によって、上側に配置したファイル本体の前記フック部を、前記係止孔の下側から挿し込みやすくなって、ファイル同士の連結をスムーズかつ簡便に行うことができる。
【００１０】
また、係止孔を下向きの円弧形状とすると、この係止孔が直線状の場合と比較して、前記円弧の下側への張り出し分だけ、前記フック部の係止孔への挿し込み量（前記係止孔の下端からフック部の上端までの長さ）が相対的に大きくなる。このため、吊り下げたファイルに児童が不用意に手を触れても、ファイル同士の連結が外れて落下しにくい、というメリットもある。
【発明の効果】
【００１１】
この発明では、ファイル本体に切れ込みを入れて形成したフック部を、上側に配置したファイルのファイル本体に切れ込みを入れて形成した係止孔に挿し込むことにより、複数のファイルをその吊り下げ方向に連結し得るようにした。ファイル本体に切れ込みを入れることにより、フック部及び係止孔からなる連結機構を構成したので、この連結機構として別部材を用意する必要がない。また、切れ込みを入れるという非常に簡便な作業によって、連結機構が形成される。このため、製造コストの抑制を図ることができる。
【図面の簡単な説明】
【００１２】
【図１】本願発明に係るファイルの第一の実施形態を示す正面図
【図２】第一の実施形態に係るファイルを吊り下げ方向に複数連結した状態を示す正面図
【図３】第一の実施形態に係るファイルの（ａ）は係止孔近傍、（ｂ）はファイル同士を連結した状態の連結部近傍、を示す要部正面図
【図４】（ａ）は図３（ａ）中のＩＶａ−ＩＶａ線に沿った縦断面図、（ｂ）は図３（ｂ）中のＩＶｂ−ＩＶｂ線に沿った縦断面図
【図５】第一の実施形態に係るファイルの連結工程において、（ａ）は連結前の状態、（ｂ）はフック部と係止孔を対向させた状態、（ｃ）は連結が完了した状態、を示す斜視図
【図６】第一の実施形態に係るファイルの変形例を示す正面図
【図７】図６に示すファイルを吊り下げ方向に複数連結した状態を示す正面図
【図８】本願発明に係るファイルの第二の実施形態を示す正面図
【図９】第二の実施形態に係るファイルの（ａ）は係止孔近傍、（ｂ）はファイル同士を連結した状態の連結部近傍、を示す要部正面図
【図１０】（ａ）は図９（ａ）中のＸａ−Ｘａ線に沿った縦断面図、（ｂ）は図９（ｂ）中のＸｂ−Ｘｂ線に沿った縦断面図
【図１１】第二の実施形態に係るファイルの連結工程において、（ａ）は連結前の状態、（ｂ）はフック部と係止孔を対向させた状態、（ｃ）は連結が完了した状態、を示す斜視図
【発明を実施するための形態】
【００１３】
この発明に係るファイルの第一の実施形態を図１に示す。このファイル１は、ファイル本体２の表面側にポケット３を形成した縦長の透明樹脂材によって構成される。このポケット３の左右端及び下端の三辺は、ファイル本体２との間で溶着されたシール部４となっていて、このポケット３に収納した物品が脱落しないようにしている。
【００１４】
ファイル本体２の下端部の左右両端寄りには、このファイル本体２にその表面から裏面に至る逆Ｕ字形の切れ込みを入れることによって、ファイル本体２の上向きに延びるフック部５が形成されている。
【００１５】
また、ファイル本体２の上端部の左右両端寄りには、このファイル本体２にその表面から裏面に至る下向き凸状の円弧形状の切り込みを入れることによって、スリット状の係止孔６が形成されている。この係止孔６の上側は、前記円弧を下辺縁とする舌片となっている。この舌片は、その付け根付近において自在に屈曲し、この舌片の表裏面方向に軽く力を加えることにより、ファイル本体２の表面側又は裏面側のいずれにも自在に突出させることができる。
【００１６】
このファイル１は、図２に示すように、上側に配置したファイル本体２に形成した係止孔６に、下側に配置したファイル本体２に形成したフック部５を挿し込んで吊り下げることによって、互いに連結することができる。連結したファイル１の各ポケット３には、画用紙等の物品Ｐが収納される。
【００１７】
フック部５と係止孔６とからなる連結機構を図３及び４に示す。この連結機構は、係止孔６（図３（ａ）及び図４（ａ）を参照）にフック部５を引っ掛けて（図３（ｂ）及び図４（ｂ）を参照）、下側のファイルを上側のファイルに吊り下げることで構成される。このとき、フック部５は係止孔６の下端から、図３（ｂ）中に示すＬ１の深さだけ挿し込まれる。
【００１８】
フック部５と係止孔６とからなる連結機構による連結の手順について、図５を用いて詳しく説明する。まず、連結するファイル１を吊り下げ方向（上下方向）に並べる（同図（ａ）を参照）。次に、係止孔６の上側の前記舌片を、ファイル本体２の裏面側から指で押す。すると、この舌片がファイル本体２の表面側に突出する（同図（ｂ）を参照）。この突出によって、係止孔６が下向きに開口し、この開口部から、フック部５を容易に挿し込むことができる（同図（ｃ）を参照）。
【００１９】
このフック部５及び係止孔６の個数は特に限定されず、ファイル本体２の素材強度や収納する物品の重さ等を考慮して適宜増やしてもよい。上記第一の実施形態では、複数のファイル１を縦長に配置して、各ファイル１の短辺側で連結したが、図６及び７に示すように、複数のファイル１を横長に配置して、各ファイル１の長辺側で連結してもよい。このときは、ファイル本体２の長辺の左右両端側にフック部５及び係止孔６を形成する。
【００２０】
この発明に係るファイルの第二の実施形態を図８に示す。このファイル１は、ファイル本体２にポケット３を形成し、このファイル本体１の下端部にフック部５を、上端部に係止孔６を形成した点で、第一の実施形態に示すファイル１と同じであるが、係止孔６の形状を円弧形状ではなく、一直線状の切れ込み（スリット）とした点で異なる。
【００２１】
第二の実施形態に係るファイル１の連結機構を図９及び１０に示す。この連結機構は、係止孔６にフック部５を引っ掛けて、下側のファイル１を吊り下げるものであり、図３及び４で説明した連結機構と同じである。この第二の実施形態においては、フック部５は係止孔６の下端から、図９（ｂ）中に示すＬ２の深さだけ挿し込まれる。この挿し込み深さＬ２は、第一の実施形態における挿し込み深さＬ１と比較すると、円弧の張り出し分だけ浅いが、これでも係止孔６からのフック部５の抜け止めを図ることは可能である。
【００２２】
この第二の実施形態における連結の手順を図１１に示す。この手順は、図５において説明した手順とほぼ同じであるが、本実施形態における係止孔６には舌片がないため、第一の実施形態のように係止孔６から下向きに開口する開口部はない。このため、フック部５を係止孔６にそのまま挿し込んで、上下のファイル１を連結させる。
【００２３】
ファイル１を構成する樹脂は、図２に示したように物品Ｐを収納した状態で複数のファイル１（通常は４〜５枚程度）を連結して吊り下げた際に、連結機構（フック部５及び係止孔６）が折れ曲がったり、破れたりしないのであれば、特にその素材は限定されない。ポケット３に画用紙に描いた絵等を収納して展示するのではなく、単に物品を収納できればよければ、透明素材でなく不透明素材でこのポケット３を構成してもよい。
【００２４】
上記の各実施形態においては、連結する上側のファイル１を手前側に、下側のファイル１を奥側に配置したが、この上下のファイル１、１の前後（手前と奥）を逆に、すなわち係止孔６の裏面側からフック部５を挿し込むようにしても勿論構わない。
【符号の説明】
【００２５】
１  ファイル
２  ファイル本体
３  ポケット
４  シール部
５  フック部
６  係止孔
【図１】
2012056200.tif 000003
【図２】
2012056200.tif 000004
【図３】
2012056200.tif 000005
【図４】
2012056200.tif 000006
【図５】
2012056200.tif 000007
【図６】
2012056200.tif 000008
【図７】
2012056200.tif 000009
【図８】
2012056200.tif 000010
【図９】
2012056200.tif 000011
【図１０】
2012056200.tif 000012
【図１１】
2012056200.tif 000013